(57)【要約】【課題】種類の異なるインクリボンによる画像記録を容易に行うことができるともに、両面画像記録処理の簡略化及び短時間化を実現する。【解決手段】インクリボンカートリッジ７，８の装着部１０３，１０４を上下２箇所に設け、各装着部１０３，１０４を経由する上下２段の搬送路１０１，１０２を構成し、各々のインクリボンカートリッジ７，８に収納さているインクリボン７Ｄ，８Ｄを加熱するサーマルヘッド２，３を１個ずつ配置した。また、上下の搬送路１０１，１０２を選択的に連通する搬送ガイド９を揺動自在に設けた。２種類のインクリボン７Ｄ，８Ｄを収納できるとともに、搬送路１０１内でインクリボン７Ｄによるカラー画像が表面に記録された記録紙１３を葉総ガイド９を介して搬送路１０２内に導き、記録紙１３の裏面にインクリボン８Ｄによるモノクロ画像記録を行う。【選択図】図２
2006095755.tif 000002
【特許請求の範囲】
【請求項１】
インクリボンカートリッジに収納されたインクリボンのインクを熱供給部材により加熱して記録紙に転写する画像記録装置であって、互いに平行な２つの搬送路を形成し、該２つの搬送路のそれぞれの外側にインクリボンカートリッジの装着部及び熱供給部材を配置し、該２つの搬送路のそれぞれを搬送される記録紙に対して互いに異なるインクリボンカートリッジのインクリボンのインクによって画像を記録することを特徴とする画像記録装置。
【請求項２】
前記２つ搬送路の間を選択的に連通する搬送切換部材を設け、前記２つの搬送路のうちの一方の搬送路において一方の面に画像を記録した記録紙を、前記搬送切換部材を介して他方の搬送路に導き、該他方の搬送路において記録紙の他方の面に画像を記録することを特徴とする請求項１に記載の画像記録装置。
【請求項３】
前記２つの装着部のそれぞれに装着されたインクリボンカートリッジに収納されているインクリボンの種類を判別する検出器を備え、検出器が検出したインクリボンの種類に応じて異なる記録制御を行うことを特徴とする請求項１に記載の画像記録装置。
【発明の詳細な説明】
【技術分野】
【０００１】
この発明は、インクリボンのインクを熱によって昇華又は転写させて記録紙に画像を記録する画像記録装置に関する。
【背景技術】
【０００２】
一般に、インクリボンを用いた画像記録装置は、記録紙の片面のみに対向してインクカートリッジ及びサーマルヘッドを備え、インクカートリッジに収納されたインクリボンのインクを熱供給部材であるサーマルヘッドを介して選択的に加熱し、記録紙に転写することによって画像を形成する。
【０００３】
このため、従来の画像記録装置は、図１に示すように、直方体の外装カバー２１１内に、１個のインクリボンカートリッジ２０７及び１個のサーマルヘッド２０２を備えている。この画像記録装置において画像記録の開始が指示されると、プラテンローラ２０１、搬送ローラ２０４及び給紙ローラ２１０が回転を開始し、給紙カセット２１２内の最上位の記録紙２１３が給紙され、外装カバー２１１内を図中右から左への正方向に搬送される。記録紙２１３の前端がプラテンローラ２０１とサーマルヘッド２０２との対向位置に達した後に、インクリボンカートリッジ２０７においてインクリボンの巻取りが開始されるとともに、画像データに基づいてサーマルヘッド２０２が駆動され、搬送中の記録紙２１３の表面に画像が記録される。
【０００４】
従来の画像記録装置では、光沢紙面へのカラー画像形成を可能にするため、例えば、イエロー、マゼンタ、シアン及びオーバーコートの各インク部分を形成したカラーインクリボンを収納したインクリボンカートリッジを装着できるようにされている。
【０００５】
このため、インクリボンカートリッジ２０７が、イエロー、マゼンタ、シアン及びオーバーコートの各インク部分をこの順に繰り返し形成したカラーインクリボンを収納している場合には、記録紙２１３の後端がプラテンローラ２０１とサーマルヘッド２０２との対向位置を通過してイエローのインクが転写された後に、記録紙２１３の前端がプラテンローラ２０１とサーマルヘッド２０２との対向位置を通過するまで記録紙２１３を図中左から右への逆方向に搬送し、再度サーマルヘッド２０２を駆動しつつ記録紙２１３を正方向に搬送する処理が３回繰り返されて、マゼンタ、シアン及びオーバーコートの各インクが転写される。
【０００６】
ところが、カラーインクリボンを収納したインクリボンカートリッジを装着した画像記録装置では、モノクロ画像形成時にもインクリボンにおけるイエロー、マゼンタ、シアン及びオーバーコートの全ての部分が使用されるため、インクリボンの使用量が増加してランニングコストが高くなるとともに、画像形成に長時間を要する問題があった。
【０００７】
そこで、印刷の目的に応じてカラーインクリボンやモノクロインクリボンのように異なる種類のインクリボンを使用することができる画像記録装置であって、装着されたインクリボンカートリッジに収納されているインクリボンの種類を検出し、検出したインクリボンの種類に応じた適切な印刷手順及び／又は印刷条件を記憶手段において選択し、カラーインクリボンを検出したときはそのままの色で印刷内容を表示手段に表示し、白黒、セピア等のもとの色とは異なる色で印刷するインクリボンを検出したときは印刷結果に近い色で印刷内容を表示手段に表示するようにした構成が開示されている（例えば、特許文献１参照。）。
【特許文献１】特開２００１−０６３１９４号公報
【発明の開示】
【発明が解決しようとする課題】
【０００８】
しかしながら、上記特許文献１の構成では、オーバーコート処理が行われる場合が多い光沢紙面に対する画像記録に専用の制御を行っていたため、光沢紙面の裏面のカラー画像形成に適さない普通紙面への画像記録を行うことができない問題があり、表面が光沢紙面で裏面が普通紙面であるはがき等の記録紙の両面に画像を記録することができない問題がある。
【０００９】
また、普通紙面への画像記録が可能になったとしても、記録紙の両面に画像を記録するためには、一方の面に対する画像記録が完了した記録紙を手動操作によって裏返して再度装置内に挿入しなければならず、作業が煩雑化及び長時間化する問題がある。特に、記録紙の表面（光沢紙面）にカラー画像を記録し、裏面（普通紙面）にモノクロ画像を記録する場合には、インクリボンカートリッジの交換作業も必要になり、作業の煩雑化及び長時間化はより深刻になる。
【００１０】
この発明の目的は、それぞれにインクリボンカートリッジ及びサーマルヘッドを備えた上下２段の搬送路を形成し、両搬送路に順に記録紙を搬送することにより、種類の異なるインクリボンによる画像記録を容易に行うことができるともに、両面画像記録処理の簡略化及び短時間化を実現できる画像記録装置を提供することにある。
【課題を解決するための手段】
【００１１】
この発明は、インクリボンカートリッジの装着部を上下２箇所に設け、各装着部を経由する上下２段の搬送路を構成し、各々のインクリボンカートリッジに収納さているインクリボンを加熱するための熱供給部材（サーマルヘッド）を各１個ずつ配置した。また、上下の搬送路を選択的に連通する搬送路切換部材を設けた。
【００１２】
２種類のインクリボンを収納しておくことができるとともに、一方の搬送路内で一方のインクリボンにより表面に画像が記録された記録紙を他方の搬送路内に導き、記録紙の裏面に対して他方のインクリボンによる画像記録が連続して行われる。
【発明の効果】
【００１３】
それぞれにインクリボンカートリッジ及びサーマルヘッドを備えた上下２段の搬送路を形成し、両搬送路に順に記録紙を搬送することにより、種類の異なるインクリボンによる画像記録を容易に行うことができるとともに、両面画像記録処理の簡略化及び短時間化を実現できる。
【発明を実施するための最良の形態】
【００１４】
以下に、この発明の最良の実施形態に係る画像形成装置を図面を参照しつつ詳細に説明する。
【００１５】
図２は、この発明の実施形態に係る画像記録装置の構成を示す側面断面図である。画像記録装置１００は、直方体形状の筐体である外装ケース１１、及び、外装ケース１１の背面に着脱自在に装着される給紙カセット１２を備えている。給紙カセット１２は、複数枚の記録紙を収納する。外装ケース１１の内部における上下方向の中央部には、前後方向の全域にわたって上側搬送路１０１及び下側搬送路１０２が平行に形成されている。上側搬送路１０１及び下側搬送路１０２において、給紙カセット１２から給紙された記録紙１３が搬送される。
【００１６】
外装ケース１１の内部において、上側搬送路１０１の上方には上側装着部１０３が設けられており、下側搬送路１０２の下方には下側装着部１０４が設けられている。上側装着部１０３及び下側装着部１０４のそれぞれには、インクリボンを収納したインクリボンカートリッジ７及び８が、外装ケース１１の一方の側面から装着される。
【００１７】
インクリボンカートリッジ７及びインクリボンカートリッジ８は、同一の形状に構成されている。インクリボンカートリッジ７（８）は、左右対称の形状に形成されており、上下方向の一方側に位置する基体７Ａ（８Ａ）の前後端部に２本のボビン７Ｂ（８Ｂ），７Ｃ（８Ｃ）を回転自在に支持し、ボビン７Ｃ（８Ｃ）に巻回されているインクリボン７Ｄ（８Ｄ）を上下方向の他方側を経由してボビン７Ｂ（８Ｂ）に巻き取る。インクリボンカートリッジ７及びインクリボンカートリッジ８は、上側装着部１０３及び下側装着部１０４に上下対称にして装着される。
【００１８】
上側搬送路１０１と下側搬送路１０２との間には、搬送ローラ４、プラテンローラ１、搬送ガイド９及びピンチローラ１５が、この順に前面側から背面側に向かって配置されている。上側装着部１０３には、搬送ローラ４及びプラテンローラ１のそれぞれに対向する位置に、上側ピンチローラ５及び上側サーマルヘッド２が配置されている。下側装着部１０４には、搬送ローラ４及びプラテンローラ１のそれぞれに対向する位置に、下側ピンチローラ６及び下側サーマルヘッド３が配置されている。
【００１９】
上側ピンチローラ５及び上側サーマルヘッド２は、上側装着部１０３に装着されたインクリボンカートリッジ７においてボビン７Ｂとボビン７Ｃとの間に張架されたインクリボン７Ｄの上方に位置する。下側ピンチローラ６及び上側サーマルヘッド３は、下側装着部１０４に装着されたインクリボンカートリッジ８においてボビン８Ｂとボビン８Ｃとの間に張架されたインクリボン８Ｄの下方に位置する。
【００２０】
搬送ガイド９は、前端部９Ａ及び後端部９Ｂが上側搬送路１０１に露出する位置と下側搬送路１０２に露出する位置との間に揺動自在にされている。
【００２１】
上側搬送路１０１を挟んでピンチローラ１５に対向する位置には、搬送ローラ１４が支持されている。外装ケース１１に装着された給紙カセット１２に収納された記録紙の最上面に対向する位置には給紙ローラ１０が支持されている。
【００２２】
画像記録装置１００において、ボビン７Ｂ、ボビン７Ｃ及び給紙ローラ１０は図２中における時計方向に回転し、ボビン８Ｂ及びボビン８Ｃは図２中における反時計方向に回転する。また、プラテンローラ１、搬送ローラ４及び搬送ローラ１４は、正逆両方向に回転する。
【００２３】
なお、インクリボンカートリッジ７及びインクリボンカートリッジ８に収納されるインクリボン７Ｄ及び８Ｄは、搬送可能な最大サイズの記録紙の全面に対向する範囲のイエロー、マゼンタ、シアン及びオーバーコートの各インク部分を順に繰り返し備えたカラーインクリボン、又は、ブラックのインク部分のみで構成されたモノクロインクリボンである。
【００２４】
したがって、表面が光沢紙面であり、裏面が普通紙面である記録紙に画像を記録する場合、搬送される記録紙の表面に対向するインクリボンカートリッジ７をカラーインクリボン７Ｄを収納したカラーインクリボンカートリッジとし、搬送される記録紙の裏面に対向するインクリボンカートリッジ８をモノクロインクリボン８Ｄを収納したモノクロインクリボンカートリッジとする。
【００２５】
図３は、上記画像記録装置の制御部の構成を示すブロック図である。制御部２０は、ＲＯＭ２２及びＲＡＭ２３を備えたＣＰＵ２１に、画像メモリ２４、通信インタフェース２５、操作パネル２６、上側リボン位置センサ２７、下側リボン位置センサ２８、上側リボン種類センサ４１、下側リボン種類センサ４２、上側前端検出センサ４３、下側前端検出センサ４４、上側後端検出センサ４５、下側後端検出センサ４６、モータドライバ２９、クラッチドライバ３０及びヘッドドライバ４０等の入出力機器を接続して構成されている。ＣＰＵ２１は、ＲＯＭ２２に予め格納されたプログラムにしたがって各入出力機器を統括して制御し、この間に入出力されるデータをＲＡＭ２４の所定のメモリエリアに格納する。
【００２６】
ＣＰＵ２１は、通信インタフェース２５を介して、外部のスキャナやパーソナルコンピュータ等の画像出力装置から画像データの入力を受け、入力された画像データを画像メモリ２４に格納する。
【００２７】
操作パネル２６は、画像記録装置１００の動作状態を示す表示器、及び、記録条件の入力を受け付けるキースイッチを備えている。操作パネル２６は、ＣＰＵ２１から供給される表示データに基づいて表示器を駆動するとともに、キースイッチの操作データをＣＰＵ２１に出力する。
【００２８】
操作パネル２６のキースイッチを介して入力される記録条件としては、インクリボンカートリッジ７，８に収納されているインクリボンの種類（カラーインクリボン又はモノクロインリボン）、及び、搬送方向に直交する方向の幅（記録サイズ）がある。ＣＰＵ２１は、操作パネル２６から入力された記録条件の情報をＲＡＭ２３に記憶する。
【００２９】
上側リボン位置センサ２７は、上側装着部１０３に装着されたインクリボンカートリッジ７のインクリボン７Ｄにおいて各インク部分の前端位置を検出する。下側リボン位置センサ２７は、下側装着部１０４に装着されたインクリボンカートリッジ８のインクリボン８Ｄにおいて各インク部分の前端位置を検出する。
【００３０】
モータドライバ２９には、搬送用モータＭ１及びヘッド用モータＭ２が接続されている。モータドライバ２９は、ＣＰＵ２１から供給される駆動データに基づいてモータＭ１，Ｍ２を駆動する。モータＭ１，Ｍ２は、例えばステッピングモータであり、正逆両方向に選択的に回転する。
【００３１】
クラッチドライバ３０には、搬送用クラッチ３１、給紙用クラッチ３２、上側リボン用クラッチ３３、下側リボン用クラッチ３４、ヘッド用クラッチ３５及びガイド用クラッチ３６が接続されている。クラッチドライバ３０は、ＣＰＵ２１から供給される駆動データに基づいて、クラッチ３１〜３６を駆動する。
【００３２】
搬送用クラッチ３１は、搬送用モータＭ１の回転をプラテンローラ１、搬送ローラ４及び搬送ローラ１４に同時に伝達する。給紙用クラッチ３２は、搬送用モータＭ１の正転（時計方向の回転）のみを給紙ローラ１０に伝達する。上側リボン用クラッチ３３は、搬送用モータＭ１の正転をボビン７Ｂに伝達する。下側リボン用クラッチ３４は、搬送用モータＭ１の正転を反転してボビン８Ｂに伝達する。
【００３３】
ヘッド用クラッチ３５は、ヘッド用モータＭ２の回転をサーマルヘッド２，３に伝達する。これによって、サーマルヘッド２，３は、インクリボン７Ｄ，８Ｄを挟んで選択的にプラテンローラ１の周面に当接する。ガイド用クラッチ３６は、ヘッド用モータＭ２の回転を搬送ガイド９に伝達する。これによって、搬送ガイド９は、図２中、実線で示す状態又は破線で示す状態に選択的に位置する。
【００３４】
上側リボン種類センサ４１及び下側リボン種類センサ４２は、この発明の検出器であり、装着部１０１，１０２に装着されたインクリボンカートリッジ７，８のそれぞれに収納されているインクリボン７Ｄ、８Ｄの種類、例えば、カラーインクリボンであるかモノクロインクリボンであるかを検出する。上側リボン種類センサ４１及び下側リボン種類センサ４２は、例えば、複数のスイッチによって構成され、インクリボン７Ｄ、８Ｄの種類に応じて異なる組み合わせでインクリボンカートリッジ７，８に形成されている突起又は電極の位置を検出する。
【００３５】
上側前端検出センサ４３及び下側前端検出センサ４４は、図２中右から左に向う記録紙１３の前端を検出する。上側後端検出センサ４５及び下側後端検出センサ４６は、図２中右から左に向う記録紙１３の後端を検出する。なお、上側前端検出センサ４３及び下側前端検出センサ４４は、後述するインクリボンの透明部分において、記録紙１３の前端及び紙質を検出する。
【００３６】
ＣＰＵ２１は、後述する初期化処理時に、上側リボン種類センサ４１、下側リボン種類センサ４２、上側リボン位置センサ２７及び下側リボン位置センサ２８の検出結果に基づいて、インクリボン７Ｄ、８Ｄの給送状態を制御する。透明部分、イエローインク部分、マゼンタインク部分、シアンインク部分及びオーバーコートインク部分をこの順に繰り返し形成したカラーインクリボンの場合には、イエローインク部分、マゼンタインク部分、シアンインク部分及びオーバーコートインク部分の前端に記録紙１３の前端を一致させる必要がある。また、透明部分及びブラックインク部分をこの順に繰り返し形成したモノクロインクリボンの場合には、ブラックインク部分の前端に記録紙１３の前端を一致させる必要がある。
【００３７】
図８に示すように、ＣＰＵ２１は、操作パネル２６におけるユーザ操作による記録面の選択、記録色の選択及び記録開始指示を受け付ける。記録開始指示の操作がされると、ＣＰＵ２１は、上側リボン種類センサ４１及び下側リボン種類センサ４２により、装着されているインクリボンの種類を検出し、この検出結果がユーザが選択した記録面及び記録色の内容に適合しているか否かを判別する。ＣＰＵ２１は、ユーザの選択に係る記録面及び記録色の内容と装着されているインクリボンの種類とが一致しない場合には、操作パネル２６のディスプレイにエラー表示を行う。
【００３８】
また、ＣＰＵ２１は、記録紙１３の給紙後に、上側前端検出センサ４３及び下側前端検出センサ４４により、給紙した記録紙１３の紙質を検出し、この検出結果がユーザが選択した記録面及び記録色の内容に適合しているか否かを判別する。ＣＰＵ２１は、ユーザの選択に係る記録面及び記録色の内容と給紙した記録紙１３の紙質とが一致しない場合には、エラー表示を行う。
【００３９】
このように、制御部２０では、画像記録の準備段階の処理として、インクリボンカートリッジ７，８の装着状態、及び、給紙した記録紙１３の種類や収納状態が、ユーザの設定内容と適合しているか否かを判別し、適合していない場合にエラー表示を行う。
【００４０】
また、ＣＰＵ２１は、上側リボン種類センサ４１及び下側リボン種類センサ４２の検出結果に基づいて、ヘッドドライバ４０に供給する駆動データの内容を変更し、サーマルヘッド２，３の加熱温度が装着されているインクリボンカートリッジ７，８に収納されているインクリボンに応じた温度となるように制御する。
【００４１】
図４は、上記画像記録装置の制御部における処理手順を示すフローチャートである。また、図５〜７は同画像記録装置における画像記録動作を説明する側面断面図であり、図５は表面記録時を示し、図６及び７は裏面記録時を示している。
【００４２】
制御部２０のＣＰＵ２１は、ユーザの操作によって画像記録の開始を指示する情報が入力されると、モータＭ１及び上下のリボン用クラッチ３３，３４を駆動し、上側リボン位置センサ２７及び下側リボン位置センサ２８が、インクリボン７Ｄ及び８Ｄの記録開始位置を検出するまでインクリボン７Ｄ及び８Ｄを給送する等の初期化を行う（Ｓ１，Ｓ２）。
【００４３】
次いで、ＣＰＵ２１は、カラー画像記録モード又はモノクロ画像記録モードの何れが選択されているかの判別を行う（Ｓ３）。記録紙の表面（光沢紙面）にカラー画像を形成するカラー画像モードが選択されている場合には、ＣＰＵ２１は、ヘッド用モータＭ２及びガイド用クラッチ３６を駆動して搬送ガイド９を時計方向に回転させて図５に示す位置に停止させ（Ｓ４）、給紙カセット１２から上側搬送路１０１への搬送方向を開放する。
【００４４】
この後、ＣＰＵ２１は、搬送用モータＭ１、搬送用クラッチ３１及び給紙用クラッチ３２を駆動して給紙ローラ１０、プラテンローラ１及び搬送ローラ４を正転させ、給紙カセット１２内の最上位の１枚の記録紙を給紙して上側搬送路１０１内を図５中の矢印ＥＸ１方向に搬送する（Ｓ５）。
【００４５】
ＣＰＵ２１は、記録紙１３の前端を上側前端検出センサ４３によって検出すると（Ｓ６）、さらにリボン用クラッチ３３を駆動してボビン７Ｂを正転させ、インクリボン７Ｄを記録紙１３の搬送に同期して矢印ＥＸ１方向に移動させる。また、サーマルヘッド２を下降させてインクリボン７Ｄを挟んでプラテンローラ１に当接させる。この状態で、画像メモリ２４から読み出した画像データに基づいて、サーマルヘッド２を駆動し、画像記録処理を行う（Ｓ７）。これによって、記録紙１３には画像が形成される。なお、記録紙１３の後端が給紙ローラ１０を通過すると、ＣＰＵ２１は、給紙用クラッチ３２の駆動を停止する。
【００４６】
記録紙１３の後端が記録位置を通過したことを上側後端検出センサ４５によって検出すると（Ｓ８）、ＣＰＵ２１は、搬送用モータＭ１及び搬送用クラッチ３１の駆動を停止し、矢印ＥＸ１方向の記録紙１３の搬送を停止する（Ｓ９）。同時に、ＣＰＵ２１は、ヘッド用モータＭ２、ヘッド用クラッチ３５及びガイド用クラッチ３６を駆動してサーマルヘッド２を上方に退避させるとともに（Ｓ１０）、搬送ガイド９を水平状態にした後（Ｓ１０）、搬送用モータＭ１及び搬送用クラッチ３１を駆動して記録紙１３を図５中の矢印ＥＸ２方向に逆搬送する（Ｓ１２）。
【００４７】
ＣＰＵ２１は、上記Ｓ６〜Ｓ１２の処理を４回繰り返し行い（Ｓ１３）、記録紙１３の表面にイエロー、マゼンタ及びシアンの画像を重ね合わせてフルカラー画像を形成し、その上面に全面についてオーバーコートを施す。但し、記録紙１３の矢印ＥＸ１方向への４回目の搬送時には、画像メモリ２４からの画像データの読出は行わず、記録紙１３の全面についてサーマルヘッド２を駆動する。
【００４８】
４回の画像記録処理が完了すると、ＣＰＵ２１は、ヘッド用クラッチ３５及びガイド用クラッチ３６を駆動してサーマルヘッド２を上方に退避させ（Ｓ１４）、記録紙１３の表面（光沢紙面）にカラー画像を形成し、記録紙１３の裏面（普通紙面）にモノクロ画像を記録する両面画像記録モードが選択されているか否かの判別を行う（Ｓ１５）。両面画像記録モードが選択されていない場合には、ＣＰＵ２１は、上側搬送路１０１における記録紙１３の矢印ＥＸ１方向の搬送を継続し、記録紙１３を外装カバー１１から矢印ＥＸ１方向に排出する（Ｓ１６）。
【００４９】
両面画像記録モードが選択されている場合には、ＣＰＵ２１は、搬送用モータＭ１及び搬送用クラッチ３１を駆動し、記録紙１３を上側搬送路１０１内において矢印ＥＸ２方向に逆搬送する（Ｓ１７）。記録紙１３の前端が搬送ガイド９を通過すると（Ｓ１８）、ＣＰＵ２１は、搬送用モータＭ１及び搬送用クラッチ３１の駆動を一旦停止し、ヘッド用モータＭ２及びガイド用クラッチ３６を駆動して搬送ガイド９を反時計方向に回転させて図６に示す状態に位置させ（Ｓ１９）、上側搬送路１０１を下側搬送路１０２に連通させる。この後、ＣＰＵ２１は、搬送用モータＭ１及び搬送用クラッチ３１を駆動し、記録紙１３を上側搬送路１０２内において矢印ＥＸ３方向に搬送する（Ｓ２０）。
【００５０】
上記Ｓ３において、記録紙１３の裏面のみにモノクロ画像を形成するモノクロ画像モードが選択されている場合には、ＣＰＵ２１は、ヘッド用モータＭ２及びガイド用クラッチ３６を駆動して搬送ガイド９を反時計方向に回転させて図７に示す位置に停止させ（Ｓ２４）、給紙カセット１２から下側搬送路１０２への搬送方向を開放する。
【００５１】
この後、ＣＰＵ２１は、搬送用モータＭ１、搬送用クラッチ３１及び給紙用クラッチ３２を駆動して給紙ローラ１０、プラテンローラ１及び搬送ローラ４を正転させ、給紙カセット１２内の最上位の１枚の記録紙を給紙して下側搬送路１０２内を図７中の矢印ＥＸ３方向に搬送する（Ｓ２５）。
【００５２】
両面画像記録モード時の裏面画像記録時、及び、片面モノクロ画像モード時に、記録紙１３の前端が下側前端検出センサ４４によって検出されると（Ｓ２１）、ＣＰＵ２１は、さらにリボン用クラッチ３４を駆動してボビン８Ｂを正転させ、インクリボン８Ｄを記録紙１３の搬送に同期して矢印ＥＸ３方向に移動させるとともに、画像メモリ２４から読み出した画像データに基づいてサーマルヘッド３を駆動し、下側後端検出センサ４６が記録紙１３の後端を検出するまで画像記録処理を行う（Ｓ２２，Ｓ２３）。これによって、普通紙面である記録紙１３の裏面には、モノクロ画像が形成される。
【００５３】
記録紙１３の後端が記録位置を通過すると、ＣＰＵ２１は、リボン用クラッチ３４を駆動してサーマルヘッド３を下降させてインクリボン８Ｄを停止させた状態で、記録紙１３を矢印ＥＸ３方向に搬送し続け、外装カバー１１の外部に排出する。
【００５４】
なお、記録紙１３の表面のみにモノクロ画像を記録することが指示された場合、ブラックのインク部分とオーバーコートのインク部分とを交互に繰り返し並べたインクリボン８Ｄを収納したインクリボンカートリッジ８が使用される。モノクロ画像が形成された記録紙１３の表面の全面にオーバーコートを施す場合には、ＣＰＵ２１は、下側後端検出センサ４６が記録紙１３の後端を検出した後に、搬送用モータＭ１及び搬送用クラッチ３１の駆動を停止し、リボン用クラッチ３４を駆動してサーマルヘッド３を下降させた状態で、搬送用モータＭ１及び搬送用クラッチ３１を駆動して搬送ローラ４及びプラテンローラ１を逆転させ、記録紙１３を下側搬送路１０２内において矢印ＥＸ４方向に搬送する。
【００５５】
そして、下側前端検出センサ４４が記録紙１３の前端を検出した後、ＣＰＵ２１は、リボン用クラッチ３４を駆動してサーマルヘッド３を上昇させ、搬送用モータＭ１及び搬送用クラッチ３１を駆動して搬送ローラ４及びプラテンローラ１を正転させ、記録紙１３を下側搬送路１０２内において矢印ＥＸ３方向に搬送しつつサーマルヘッド３を駆動する。これによって、モノクロ画像が記録された記録紙１３の表面の全面にオーバーコートが施される。
【００５６】
記録紙１３の後端が記録位置を通過すると、ＣＰＵ２１は、リボン用クラッチ３４を駆動してサーマルヘッド３を下降させてインクリボン８Ｄを停止させた状態で、記録紙１３を矢印ＥＸ３方向に搬送し続け、外装カバー１１の外部に排出する。
【００５７】
以上のようにして、この発明の画像記録装置１００は、それぞれが個別のサーマルヘッド２，３を備え、個別の搬送路１０１，１０２に露出した２つの装着部１０３，１０４を備え、各装着部１０３，１０４に装着されたインクリボンカートリッジ７，８に収納されているインクリボンの種類に応じて、適切な記録紙１３の搬送制御を行うことができる。
【図面の簡単な説明】
【００５８】
【図１】従来の画像記録装置の構成を示す側面断面図である。
【図２】この発明の実施形態に係る画像記録装置の構成を示す側面断面図である。
【図３】同画像記録装置の制御部の構成を示すブロック図である。
【図４】同制御部の処理手順を示すフローチャートである。
【図５】同画像記録装置における表面記録時の画像記録動作を説明する側面断面図である。
【図６】同画像記録装置における両面記録モードの裏面記録時の画像記録動作を説明する側面断面図である。
【図７】同画像記録装置における裏面記録時の画像記録動作を説明する側面断面図である。
【図８】同制御部の画像記録動作の準備段階における処理手順を示すフローチャートである。
【符号の説明】
【００５９】
１  プラテンローラ
２，３  サーマルヘッド
４，１４  搬送ローラ
５，６，１５  ピンチローラ
７，８  インクリボンカートリッジ
９  搬送ガイド
１０  給紙ローラ
１１  外装ケース
１２  給紙カセット
１３  記録紙
【図１】
2006095755.tif 000003
【図２】
2006095755.tif 000004
【図３】
2006095755.tif 000005
【図４】
2006095755.tif 000006
【図５】
2006095755.tif 000007
【図６】
2006095755.tif 000008
【図７】
2006095755.tif 000009
【図８】
2006095755.tif 000010